(57)【特許請求の範囲】
【請求項１】
ユーザの耳の後ろに配置され、１以上のマイクロホン、バッテリ、メモリー、音声処理電子装置および音声増幅電子装置を収容する部分と、
ユーザの耳腔内のうち特に外耳道内に開放された状態で配置され、挿入損失および閉塞効果を減少させるために、少なくとも前記耳腔を閉塞させない寸法を有するレシーバ部分と、
前記レシーバ部分とユーザの耳の後ろの部分との間に設けられる中間連結部と、
前記レシーバ部分を保持する保持手段と
を備えた補聴器。
【請求項２】
前記レシーバ部分は、ユーザの耳腔の外耳道に臨む軟骨領域内に少なくとも部分的に配置され、そして、
ユーザの耳腔の前記軟骨領域内に前記レシーバ部分が配置されたときの挿入損失は、最小になる寸法を備えていることを特徴とする、請求項１に記載の補聴器。
【請求項３】
前記レシーバ部分の前記耳腔への挿入方向に直交する横方向の最大寸法は、ユーザの耳腔の内径方向である横方向の最大寸法よりも小さく、
前記レシーバ部分の周辺部の少なくとも一部は耳腔に接触しないことを特徴とする、請求項１に記載の補聴器。
【請求項４】
前記レシーバ部分はユーザの耳腔内に吊るされており、
前記レシーバ部分の周辺部の少なくとも大部分がユーザの耳腔に接触しないことを特徴とする、請求項１に記載の補聴器。
【請求項５】
前記レシーバ部分はユーザの耳腔内に吊るされており、
前記レシーバ部分の周辺部の実質的に全ての部分がユーザの耳腔に接触しないことを特徴とする、請求項１に記載の補聴器。
【請求項６】
前記レシーバ部分では、約２２００Ｈzから約５３００Ｈzの特定範囲内の可聴周波数域で、約８デシベル以下の挿入損失を生じることを特徴とする、請求項１に記載の補聴器。
【請求項７】
前記レシーバ部分では、約２２００Ｈzから約５３００Ｈzの特定範囲内の可聴周波数域で、約６デシベル以下の挿入損失を生じることを特徴とする、請求項１に記載の補聴器。
【請求項８】
前記レシーバ部分では、約２２００Ｈzから約５３００Ｈzの特定範囲内の可聴周波数域で、約４デシベル以下の挿入損失を生じることを特徴とする、請求項１に記載の補聴器。
【請求項９】
前記レシーバ部分では、約２２００Ｈzから約５３００Ｈzの特定範囲内の可聴周波数域で、約３デシベル以下の挿入損失を生じることを特徴とする、請求項１に記載の補聴器。
【請求項１０】
前記レシーバ部分では、約３０００Ｈzから約５０００Ｈzの特定範囲内の可聴周波数域で、約８デシベル以下の挿入損失を生じることを特徴とする、請求項１に記載の補聴器。
【請求項１１】
前記レシーバ部分では、約３０００Ｈzから約５０００Ｈzの特定範囲内の可聴周波数域で、約６デシベル以下の挿入損失を生じることを特徴とする、請求項１に記載の補聴器。
【請求項１２】
前記レシーバ部分では、約３０００Ｈzから約５０００Ｈzの特定範囲内の可聴周波数域で、約４デシベル以下の挿入損失を生じることを特徴とする、請求項１に記載の補聴器。
【請求項１３】
前記レシーバ部分では、約３０００Ｈzから約５０００Ｈzの特定範囲内の可聴周波数域で、約３デシベル以下の挿入損失を生じることを特徴とする、請求項１に記載の補聴器。
【請求項１４】
前記レシーバ部分では、約３５００Ｈzから約４５００Ｈzの特定範囲内の可聴周波数域で、約８デシベル以下の挿入損失を生じることを特徴とする、請求項１に記載の補聴器。
【請求項１５】
前記レシーバ部分では、約３５００Ｈzから約４５００Ｈzの特定範囲内の可聴周波数域で、約６デシベル以下の挿入損失を生じることを特徴とする、請求項１に記載の補聴器。
【請求項１６】
前記レシーバ部分では、約３５００Ｈzから約４５００Ｈzの特定範囲内の可聴周波数域で、約４デシベル以下の挿入損失を生じることを特徴とする、請求項１に記載の補聴器。
【請求項１７】
前記レシーバ部分では、約３５００Ｈzから約４５００Ｈzの特定範囲内の可聴周波数域で、約３デシベル以下の挿入損失を生じることを特徴とする、請求項１に記載の補聴器。
【請求項１８】
前記レシーバ部分の横方向の最大寸法は、ユーザの耳腔の横方向の最大寸法より小さいことを特徴とする、請求項１に記載の補聴器。
【請求項１９】
前記レシーバ部分の横方向の最大寸法は、ユーザの耳腔の横方向の最大寸法の７５％以下であることを特徴とする、請求項１に記載の補聴器。
【請求項２０】
前記レシーバ部分の横方向の最大寸法は、ユーザの耳腔の横方向の最大寸法の７０％以下であることを特徴とする、請求項１に記載の補聴器。
【請求項２１】
前記レシーバ部分の横方向の最大寸法は、ユーザの耳腔の横方向の最大寸法の６５％以下であることを特徴とする、請求項１に記載の補聴器。
【請求項２２】
前記レシーバ部分の横方向の最大寸法は、ユーザの耳腔の横方向の最大寸法の６０％以下であることを特徴とする、請求項１に記載の補聴器。
【請求項２３】
前記レシーバ部分の横方向の最大寸法は、ユーザの耳腔の横方向の最大寸法の５５％以下であることを特徴とする、請求項１に記載の補聴器。
【請求項２４】
前記レシーバ部分の横方向の最大寸法は、ユーザの耳腔の横方向の最大寸法の半分以下であることを特徴とする、請求項１に記載の補聴器。
【請求項２５】
前記レシーバ部分の横方向の最大寸法は、約０．１５インチ以下であることを特徴とする、請求項１に記載の補聴器。
【請求項２６】
前記中間連結部およびレシーバ部分の少なくとも１つから延伸した前記保持手段を構成する保持ワイヤを更に備えており、そして、
前記保持ワイヤはユーザの耳甲介の少なくとも一部に係合する構成からなっていることを特徴とする、請求項１に記載の補聴器。
【請求項２７】
前記保持ワイヤは、レシーバ部分の耳腔内への最大挿入深さを規制することにより、耳腔内への過度の挿入がおきないように構成していることを特徴とする、請求項２６に記載の補聴器。
【請求項２８】
前記保持ワイヤは、レシーバ部分が耳腔内へ挿入されたときに、耳腔の如何なる部分にも実質的に接触しないように構成されていることを特徴とする、請求項２６に記載の補聴器。
【請求項２９】
前記保持ワイヤは、レシーバ部分を耳腔内に安定化させることを特徴とする、請求項２６に記載の補聴器。
【請求項３０】
前記保持ワイヤは、レシーバ部分が耳腔内で動かないようにすることを特徴とする、請求項２６に記載の補聴器。
【請求項３１】
前記レシーバ部分は、第１端部および第２端部を有するケーシング内に少なくとも一部が閉じ込められたスピーカを備えており、
前記第１端部が前記中間連結部と連絡し、
前記スピーカが前記ケーシングの第２端部に設けられたポートに連絡していることを特徴とする、請求項１に記載の補聴器。
【請求項３２】
前記ポートは、膜またはメッシュ材によって、少なくとも部分的に、残滓であるデブリスに対してシールされていることを特徴とする、請求項３１に記載の補聴器。
【請求項３３】
前記ケーシングは、第１端部、および、第１端部からポートまで延伸するケーシングの全長に沿って前記デブリスに対してシールされていることを特徴とする、請求項３２に記載の補聴器。
【請求項３４】
前記ポートは、取り外し可能な耳垢収集器を備えていることを特徴とする、請求項３１に記載の補聴器。
【請求項３５】
前記レシーバ部分は、可聴周波数域で約８デシベル以下の閉塞効果を生じることを特徴とする、請求項１に記載の補聴器。
【請求項３６】
前記レシーバ部分は、約２００Ｈzから約２６００Ｈzの間の周波数域で、約８デシベル以下の閉塞効果を生じることを特徴とする、請求項３５に記載の補聴器。
【請求項３７】
前記レシーバ部分は、約２００Ｈzから約２６００Ｈzの間の周波数域で、約６デシベル以下の閉塞効果を生じることを特徴とする、請求項３５に記載の補聴器。
【請求項３８】
前記レシーバ部分は、約２００Ｈzから約２６００Ｈzの間の周波数域で、約４デシベル以下の閉塞効果を生じることを特徴とする、請求項３５に記載の補聴器。
【請求項３９】
前記レシーバ部分は、約２００Ｈzから約２６００Ｈzの間の周波数域で、約２デシベル以下の閉塞効果を生じることを特徴とする、請求項３５に記載の補聴器。
【請求項４０】
前記レシーバ部分は、約２００Ｈzから約２０００Ｈzの間の周波数域で、約８デシベル以下の閉塞効果を生じることを特徴とする、請求項３５に記載の補聴器。
【請求項４１】
前記レシーバ部分は、約２００Ｈzから約２０００Ｈzの間の周波数域で、約６デシベル以下の閉塞効果を生じることを特徴とする、請求項３５に記載の補聴器。
【請求項４２】
前記レシーバ部分は、約２００Ｈzから約２０００Ｈzの間の周波数域で、約４デシベル以下の閉塞効果を生じることを特徴とする、請求項３５に記載の補聴器。
【請求項４３】
前記レシーバ部分は、約２００Ｈzから約２０００Ｈzの間の周波数域で、約２デシベル以下の閉塞効果を生じることを特徴とする、請求項３５に記載の補聴器。
【請求項４４】
前記レシーバ部分は、約２００Ｈzから約１５００Ｈzの間の周波数域で、約８デシベル以下の閉塞効果を生じることを特徴とする、請求項３５に記載の補聴器。
【請求項４５】
前記レシーバ部分は、約２００Ｈzから約１５００Ｈzの間の周波数域で、約６デシベル以下の閉塞効果を生じることを特徴とする、請求項３５に記載の補聴器。
【請求項４６】
前記レシーバ部分は、約２００Ｈzから約１５００Ｈzの間の周波数域で、約４デシベル以下の閉塞効果を生じることを特徴とする、請求項３５に記載の補聴器。
【請求項４７】
前記レシーバ部分は、約２００Ｈzから約１５００Ｈzの間の周波数域で、約２デシベル以下の閉塞効果を生じることを特徴とする、請求項３５に記載の補聴器。
【請求項４８】
前記レシーバ部分は、約２００Ｈzから約１０００Ｈzの間の周波数域で、約８デシベル以下の閉塞効果を生じることを特徴とする、請求項３５に記載の補聴器。
【請求項４９】
前記レシーバ部分は、約２００Ｈzから約１０００Ｈzの間の周波数域で、約６デシベル以下の閉塞効果を生じることを特徴とする、請求項３５に記載の補聴器。
【請求項５０】
前記レシーバ部分は、約２００Ｈzから約１０００Ｈzの間の周波数域で、約４デシベル以下の閉塞効果を生じることを特徴とする、請求項３５に記載の補聴器。
【請求項５１】
前記レシーバ部分は、約２００Ｈzから約１０００Ｈzの間の周波数域で、約２デシベル以下の閉塞効果を生じることを特徴とする、請求項３５に記載の補聴器。
【請求項５２】
前記レシーバ部分は、約５００Ｈzから約１５００Ｈzの間の周波数域で、約２デシベル以下の閉塞効果を生じることを特徴とする、請求項３５に記載の補聴器。
【請求項５３】
前記レシーバ部分は、約５００Ｈzから約１０００Ｈzの間の周波数域で、約８デシベル以下の閉塞効果を生じることを特徴とする、請求項３５に記載の補聴器。
【請求項５４】
前記レシーバ部分は、約５００Ｈzから約１０００Ｈzの間の周波数域で、約６デシベル以下の閉塞効果を生じることを特徴とする、請求項３５に記載の補聴器。
【請求項５５】
前記レシーバ部分は、約５００Ｈzから約１０００Ｈzの間の周波数域で、約４デシベル以下の閉塞効果を生じることを特徴とする、請求項３５に記載の補聴器。
【請求項５６】
前記レシーバ部分は、約５００Ｈzから約１０００Ｈzの間の周波数域で、約２デシベル以下の閉塞効果を生じることを特徴とする、請求項３５に記載の補聴器。
【請求項５７】
前記保持手段を構成する、前記中間連結部の少なくとも内部またはこれに接して部分的に設けられている補強装置と、
前記レシーバ部分及び／または前記中間連結部に設置され、ユーザの耳腔の一部から前記レシーバ部分を隔離するように構成されている支持面と、
のいずれか一方或いは双方によって、前記レシーバ部分の配置が容易に構成されていることを特徴とする、請求項１に記載の補聴器。
【請求項５８】
前記補強装置は補強ワイヤであることを特徴とする、請求項５７に記載の補聴器。
【請求項５９】
前記補強ワイヤは金属または金属合金またはプラスチック材からなっていることを特徴とする、請求項５８に記載の補聴器。
【請求項６０】
前記補強ワイヤは熱可変特性を有するプラスチック材からなっていることを特徴とする、請求項５８に記載の補聴器。
【請求項６１】
前記金属または金属合金は、前記ワイヤがたわみ、元の形状に戻る記憶を有していることを特徴とする、請求項５９に記載の補聴器。
【請求項６２】
前記中間連結部は電気伝導性部品からなっており、
前記電気伝導性部品は少なくとも一部が第１の管路内に配置され、
前記補強ワイヤは前記第１の管路の外側に設けられていることを特徴とする、請求項５８に記載の補聴器。
【請求項６３】
前記補強ワイヤは第２の管路内に配置されていることを特徴とする、請求項６２に記載の補聴器。
【請求項６４】
前記補強ワイヤは前記レシーバ内または少なくともその一部分上に延伸していることを特徴とする、請求項５８に記載の補聴器。
【請求項６５】
前記補強装置は、前記中間連結部の少なくとも一部の中またはまわりに設けられた補強管からなっていることを特徴とする、請求項５７に記載の補聴器。
【請求項６６】
前記補強管は、前記中間連結部のレシーバ部分端部に設けられていることを特徴とする、請求項６５に記載の補聴器。
【請求項６７】
前記補強装置は、前記中間連結部の少なくとも内部またはこれに接して設けられた補強ワイヤからなっており、さらに、
前記補強ワイヤは、中間連結部の一部またはレシーバ部分からユーザの外耳に接触するまで延伸していることを特徴とする、請求項５７に記載の補聴器。
【請求項６８】
前記補強管は金属または金属合金からなっていることを特徴とする、請求項６６に記載の補聴器。
【請求項６９】
前記補強管はグースネック管からなっていることを特徴とする、請求項６８に記載の補聴器。
【請求項７０】
前記保持ワイヤは中間連結部およびレシーバ部分の少なくとも１つから延伸し、
前記保持ワイヤはユーザの耳甲介の少なくとも一部に係合する構成からなっており、そして、
前記保持ワイヤは補強装置の一部から延伸していることを特徴とする、請求項５７に記載の補聴器。
【発明の詳細な説明】
【技術分野】
【０００１】
本発明は、補聴システムに関する。
【背景技術】
【０００２】
多岐にわたる各種の補聴ユニットが知られている。補聴ユニットにあっては、補聴レシーバの耳内への挿入によって、挿入損失が生じる。この挿入損失とは、患者の自然の状態のときの耳腔反響特性または元々の耳甲介での耳腔反響特性に比べてみると、補聴レシーバを耳内へ挿入したときの耳腔反響特性が歪み、または、耳腔反響特性が無くなってしまうことを表すものである。ここに記述する補聴器は、このような挿入損失を取り除き、または、著しく減じるものである。
【０００３】
ある補聴器においては、レシーバは、耳腔内に位置して、閉塞効果を生じる。多くの場合には、特注の器具のように補聴器が耳内に納まるか、または耳の後ろに配置するかにかかわらず、閉塞の問題が存在する。
【発明の開示】
【発明が解決しようとする課題】
【０００４】
これは、患者自身の声に対する不快感によって、その増幅が患者に拒絶されるということに関係している。即ち、閉塞効果は、患者の頭部が樽の底にある感情と感覚と結びつき、患者自身の声が耐えられないほど大きくなる。
特注の補聴器のイヤーモールド、または、シェルを耳腔内に嵌め込むと、患者の声が、約２０〜３０デシベルの間で低周波増幅される。これは、患者の声の実際の大きさの約４倍に増大された声の大きさと感じることに関係している。
従って、上述した挿入損失および閉塞効果のない耳腔レシーバが必要とされている。
【課題を解決するための手段】
【０００５】
この発明の１つの態様は、耳鳴りを取り扱う改良されたシステムに関している。先行技術の上述した問題点、他の問題点および欠陥はこの発明の補聴器によって克服され、または、取り除かれる。この発明の補聴器は、補聴器を使用しない耳に較べて、可聴周波数域で、約３デシベル以下の挿入損失を生じるように構成されたレシーバを備えている。
【０００６】
他の態様において、マイクロ−レシーバはユーザの耳腔内で、開放された耳を構成するように配置され、音声処理ユニットはマイクロ−レシーバから離隔して設けられている。
上述した補聴器は、挿入効果および閉塞効果を減じる利点を有している。
【０００７】
他の態様において、ユーザの耳腔内に耳が開放された状態で、マイクロ−レシーバが配置され、そして、音声処理ユニットが、マイクロ−レシーバから離隔して設けられる。開示した補聴器は、挿入効果および閉塞効果を減じる利点がある。
【０００８】
他の例示的態様においては、レシーバは、横方向の最大寸法φを有している。この寸法は、レシーバの最大寸法または直径を表している（レシーバの横断面が円形または楕円形であることを示唆するものではない）。１つの例示的態様において、レシーバの寸法φが、ユーザの耳腔の横方向の最大寸法の半分以下である。他の態様において、レシーバの寸法φが、ユーザの耳腔の横方向の最大寸法の２０％以下である。他の態様において、レシーバの寸法φが、ユーザの耳腔の横方向の最大寸法の１０％以下である。他の態様において、レシーバの寸法φが、ユーザの耳腔の横方向の最大寸法の５％以下である。なお、ここで、レシーバの「横方向」とは、耳腔に挿入するときの方向に対してこれに直交する断面方向のことを指すものとする。
【０００９】
他の態様において、補聴器が、音声処理ユニット、レシーバ、および、前記音声処理ユニットと前記レシーバの間の中間連結部を更に備え、前記中間連結部は、前記中間連結部の少なくとも一部に設けられた電気伝導性部品、および、補強ワイヤを備えている。他の例示的態様において、前記補強ワイヤは金属または金属合金からなっている。他の例示的態様において、前記金属または金属合金が、前記ワイヤがたわみ元の形状に戻る記憶を有している。これらは、ステンレス鋼であってもよい。形状記憶合金であってもよい。
【００１０】
他の例示的態様において、前記補強ワイヤは中間連結部内またはその一部の上に配置され、レシーバ内または少なくともその一部分上に延伸している。このような態様においては、レシーバは、中間連結部上に安定して弾性を備えた位置している。更に、補強材が使用されると、中間連結部およびレシーバは特注で製造されまたは造形されて耳腔内にレシーバを最も適した配置にする、および／または、中間連結部の配置を最適にする。
【００１１】
他の態様において、保持ワイヤが、補強ワイヤおよびレシーバの１つから延伸している。保持ワイヤは、耳の耳甲介の部分内に位置するように構成されている。このような態様においては、保持ワイヤは、補聴レシーバの耳腔内への過度の挿入が起きないように構成される。保持ワイヤは、補聴レシーバが耳腔内の部分内に吊るされるように構成されて、レシーバのどの部分も耳腔の側面に触れることはない。
【００１２】
他の態様において、電気伝導性部品は、中間連結部内の、別の管路、または、相互に分離された管路内に設けられた２つのワイヤからなっている。他の態様において、補強材が、別の管路内またはワイヤから分離した管路内の、中間連結部内または上に設けられている
【００１３】
他の態様において、レシーバはスピーカを備えており、第１端部および第２端部を有するケーシング内に少なくとも一部が閉じ込められており、前記第１の端部が前記中間連結部と連絡し、前記スピーカがケーシングの第２端部に設けられたポートに連絡している。他の態様において、ケーシングは、第１端部、および、第１端部から第２の端部に設けられたポートまで延伸するケーシングの全長に沿って水密にシールされている。ポートは、膜またはメッシュ材によって、水密にシールされていてもよい。
以下の詳細な記述および図面から、当業者は、この発明の上述したまたは他の特徴、利点を容易に理解するものである。
【発明の効果】
【００１４】
開示した補聴器は、挿入効果および閉塞効果を減じる利点がある。
【発明を実施するための最良の形態】
【００１５】
図１に示すように、この発明の補聴システムとして、レシーバ部(これが、レシーバ部分を構成する)および連結部が、符号番号１０で例示されている。１つの態様において、補聴システムは完全な開腔（ＣＯＣ；Completely Open Canal）システムとして構成されている。図１に例示するように、符号番号１２で指示されているレシーバ部は、少なくとも一部がケーシング１６で囲まれているスピーカ１４を備えている。レシーバ部（以下、「レシーバ」と略す）１２は、符号番号１８で指示されている連結部に取り付けられており、連結部１８は、中間連結部２０および音声処理部品（ユニット）コネクタ２２を備えている。
【００１６】
音声処理部品（ユニット）コネクタ２２は、音声処理ユニット上の（図示しない）対応する電気インターフェースに合致するように構成された電気インターフェース２４を備えている。図示した電気インターフェース２４は、コネクタシェル（以下、「シェル」と略す）２６によって囲まれた３−ピン雌インターフェースである。シェル２６はロックピン２８によって接合される２つの部分のシェルとして図示されているが、シェル２６は、あらゆる便宜な形状であってもよく、または、インターフェース２４は、単に、電気インターフェース２４からなっており、シェル２６が最小の形状であっても、または無くても良い。選択的に、マイクロホン２７がシェルに設けられてもよい。マイクロホン２７は、（図示しない）別の電気接続または電気インターフェースを介して、音声処理ユニットに接続されてもよい。
【００１７】
図２に、レシーバ１２および中間連結部２０を詳細に例示する。スピーカ１４は、少なくとも一部がケーシング１６内に取り囲まれた状態で示されている。図示した中間連結部２０は、中間連結部２０の少なくとも一部に沿って設けられた電気伝導性部品３０および保持手段の一態様である補強ワイヤ３２を備えている。他の例示的態様において、補強ワイヤ３２はステンレス鋼からなっている。他の例示的態様において、補強ワイヤ３２は、記憶を備え、ワイヤが歪曲し元の状態に戻る金属または金属合金からなっている。例えば、補強ワイヤ３２は形状記憶合金からなっている。
【００１８】
図２に示すように、例示された補強ワイヤ３２は、中間連結部２０の内部または一部の上に設けられ、レシーバ１２の内部または少なくとも一部の上に延伸している。例示した態様における補強ワイヤ３２は、中間連結部２０の管路３４を通って延伸し、レシーバ１２の第１端部（以下、「近端部」とよぶ）３６内へと進み、スピーカ１４に沿って延伸している。このような態様において、更に、補強ワイヤ３２がレシーバ１２および中間連結部２０またはその一部において使用されるときはいつでも、レシーバ１２は、中間連結部２０に関して、安定し弾性を備えて配置される。更に、補強ワイヤ３２が使用される場合には、中間連結部２０およびレシーバ１２は特注で製造されまたは造形されて耳腔内にレシーバを最も適した配置にする、および／または、中間連結部２０の配置を最適にする。なお、管路３４は、保持手段（補強装置）の一態様である補強管を構成している。
【００１９】
更に、図２に示すように、例示された電気伝導性部品３０は、中間連結部２０内の管路３８内に設けられている。電気伝導性部品３０は、スピーカ１４から中間連結部２０を通って電気インターフェース２４まで延伸し、音声処理ユニット５２（図４参照）とスピーカ１４の間の電気的接続を行っている。なお、管路３８も保持手段（補強装置）の一態様である補強管を構成している。
【００２０】
図３に示す態様において、電気伝導性部品３０は、管路内に設けられた２つのワイヤ４０、４２を備えている。この態様においては、両方のワイヤ４０、４２が同一管路内に設けられているが、他の構成も考えられる。例えば、両方のワイヤ４０、４２が、補強ワイヤ３２と同じ管路を利用してもよい。更に、各ワイヤ４０、４２が、別の管路内に設けられてもよいし、連結部の中で、相互に分離されてもよい。
【００２１】
更に、図２に示すように、例示するレシーバケーシングは、近端部３６および第２端部（以下、「遠端部」とよぶ）４４を有しており、第１の端部は中間連結部２０と連絡し、スピーカ１４はケーシング１６の第２端部４４に設けられたポーロ４６と連絡している。
【００２２】
例示した態様として記述しているように、ケーシング１６は、スピーカの周りの中間連結部２０からポート４６にかけて設けられている。ケーシング１６には、非透過性材料が使用され、近端部３６、および、近端部３６から遠端部４４に設けられたポート４６まで延びるケーシング１６の全長に沿って水密にシールされる。図示されているように、ポート４６は、膜またはメッシュ材４８によってそれ自体が水密にシールされている。
【００２３】
ケーシングに使用される材料は、２つのシェルを組み合わせる、表面を覆うように成形する、収縮させて覆う等を含む数々の方法によって形成される。如何なる材料でも使用することができる。１つの例示態様として、上述した材料は、ポリプロピレンである。他の態様においては、材料はナイロンまたはポリエチレンである。ポートには、永久または取り外し可能な耳垢収集器を備えることができる。
【００２４】
更に、図２に示すように、レシーバ１６は最大横方向寸法φを有している。このような寸法は、レシーバ１６の全体の最大寸法または直径（但し、レシーバの横断面が円形または楕円を示唆するものではない）である。なお、ここで、図２に示すレシーバ１６の横方向寸法φの「横方向」とは、[課題を解決するための手段]の欄で説明したように、レシーバ１６の耳腔６０への挿入方向に直交する方向を指すものである。１つの態様において、レシーバは寸法φを有し、その寸法は、使用者の耳腔の最大横方向の寸法または直径の半分以下である。他の態様においては、レシーバは寸法φを有し、その寸法は、使用者の耳腔の最大横方向の寸法または直径の２０％以下である。他の態様においては、レシーバは寸法φを有し、その寸法は、使用者の耳腔の最大横方向の寸法または直径の１０％以下である。他の態様においては、レシーバは寸法φを有し、その寸法は、使用者の耳腔の最大横方向の寸法または直径の５％以下である。
【００２５】
図４に示すように、例示している第２の補聴システムが符号番号５０で指示されている。レシーバ１６、中間連結部２０および音声処理ユニット５２が組み立てられて示されている。音声処理部品（ユニット）コネクタ２２は、音声処理ユニット５２と接合されて示されている。例示的に図示するように、保持ワイヤ５４がレシーバ１６から延伸している。図５に示すように、保持ワイヤ５４は、符号番号５８で示す、耳の耳甲介５６の部分内に位置するように構成されている。このような態様においては、補聴レシーバ１６の耳腔６０内への最大挿入を示すように構成される。
【００２６】
例えば、保持ワイヤ５４、レシーバ１６、および中間連結部２０は、レシーバ１６が耳腔６０内に延伸するけれども、耳腔６０の骨質の領域６２内には延伸しないように構成される。更に、図５に示すように、保持ワイヤ５４は、補聴レシーバ１６が耳腔６０内の部分内に吊るされるように構成して、レシーバ１６のどの部分も耳腔６０の側面に触れることはない。保持ワイヤ５４はレシーバ１６から延伸するものとして示されているけれども、その代わりに、保持ワイヤは、中間連結部２０から延伸してもよい。
【００２７】
次に、図６に示すように、音声処理ユニット（ＳＰＵ；Sound Processing Unit）は、例示的に符号番号５２で指示されている。図示されたＳＰＵは、一般的に、ハウジング６４；雄３−ピン電気接続として示され、増幅器および音声処理部品６８に接続されるＳＰＵ電気インターフェース６６；増幅器および音声処理部品６８に接続されるマイクロホン７０；増幅器および音声処理部品６８に電力を供給するバッテリ部品７２；プッシュボタン７６と共に図示されユーザインターフェースに増幅器および音声処理部品６８および／またはバッテリ部品７２を付与するスイッチ部品７４および、ＳＰＵ外部プログラムおよびリプログラムができる、および／または補聴装置に追加の内部部品を拡張することできるプログラムコネクタ７８を備えている。
【００２８】
プログラム訂正スイッチ７９によって、技術者または使用者が増幅器および音声処理部品６８のプログラムおよびリプログラム制御することができる。更に、（図示しない）入力ポートをその近傍（装置のどこでもよい）に設けて、外部ソースから装置のプログラムおよびリプログラムを実行するようにしてもよい。記憶部を増幅器および音声処理部品６８内、および／または、装置内のどこにでも設けて、ＳＰＵのプログラムおよびリプログラムを可能にする、および／または、ユーザが、ユーザインターフェースを介して各種プログラムを選択することができる。
【００２９】
図７は、第２のＳＰＵの態様を例示的に示す。増幅器および音声処理部品６８は、バッテリ部品７２、スイッチ部品７４、マイクロホン７０およびＳＰＵ電気インターフェース６６の各々を接続する回路基板として設けられている。
他の例示的態様において、耳ユニットの背後に、追加的に、１以上の音声を発するために使用されるノイズ発生器を備えている。音声は、耳鳴りに対処するために有効な特定の周波数領域において発生させる。ノイズ発生器は、治療のために、このような信号をレシーバに送る。
【００３０】
次の表は、４つの補聴装置（Ｇ= General Hearing Instrument、Ｏ=Oticon、Ｓ=Sebotek、Ｖ=Vivatone）を比較して集めたデータの静的な分析を要約している。
【００３１】
テストに使用したVivatone装置は、ミクロレシーバおよび保持ワイヤを備えた上述した実施態様に一致する構成であった。Vivatone装置は、更に、レシーバが耳腔の壁面に接触しないように軟骨領域内に配置された。
テストに使用されたGeneral Hearing Instrumentは、canal-open-ear Auriscoe（登録商標）補聴器であった。テストに使用したOticon装置は、ロープロファイルのOpen Ear Acoustics（登録商標）構成であった。テストに使用したSebotek装置は、米国特許No.5,606,621(Reiter)に開示されたPAC(Post Auricular Canal)補聴器であって、上述した特許に記載された全ての内容が引用によってここに組み込まれる。
【００３２】
３０の対象者に関して評価を行った。各対象者に対して４回、合計１２０回テストを行った。分析したデータは、試験実耳挿入応答曲線の値であり、これは補聴器無と補聴器有との間の差と、対象者が「ＥＥ」の文字を発生しながら繰り返された対応する値とからなっている。２つの差は、挿入効果および閉塞効果と呼ばれる。値は、７９種類の周波数（２００Hzから８０００Hzの間で、１００Hzづつ増加）で与えられた。
【００３３】
モデルの分析は、各周波数に関して行われた。比較は、対象者、テスト順、先の装置に対して調整された。実験誤差は、挿入効果に関して概ね５−１１ｄＢであり、閉塞効果に関して概ね３−８ｄＢであった。
【００３４】
比較結果を以下の表に示した。結果は各周波数に対して示した。絶対値２．４４４より大きいＴ−値は表１に含まれている。２．４４４より少ないＴ−値は、単に表１から除外されているというだけで、統計的に重要でないとは解釈されない。マイナスの値は、Vivatone装置に較べて、比較用装置の方が挿入効果、または閉塞効果が大きいことを示している。プラスの値は、比較用装置に較べて、Vivatone装置の方が挿入効果、または閉塞効果が大きいことを示している。
【００３５】
以下の表は、各周波数における比較をまとめたものである。表の値は、デシベル差をプラス、マイナスで表した。表に示すように、Vivatone装置は、比較用装置に較べて周波数域の全体に亘って低い挿入効果を示している。実に、Vivatone装置は、可聴スペクトルで３デシベル以下の挿入損失を示している。更に、Oticon装置での５００Hzから１３００Hz域を除いて、Vivatone装置は、比較用装置に較べて周波数域で低い閉塞効果を示している。
表１  比較のまとめ
【００３６】
【表１】
0004006470.tif 000002
0004006470.tif 000003
0004006470.tif 000004
0004006470.tif 000005
【００３７】
表２  ２００Hzでの結果
200 Hz
挿入効果
値       標準誤差       t値
X1   -3.228805324  2.8128462   -1.147878383  (General vs. Vivatone)
X2   -3.973763109  2.6132138   -1.520642189  (Oticon vs. Vivatone)
X3  -28.990360956  2.6890912  -10.780728129  (Sebotek vs. Vivatone)
閉塞効果
値     標準誤差     t値
X1  -1.76124202  2.3527289  -0.74859539
X2   3.03270998  2.1857518  1.38749056
X3  -8.48537631  2.2492174  -3.77259056
【００３８】
表3  3００Hzでの結果
300 Hz
挿入効果
値      標準誤差       t値
X1  -3.259075564  2.9386512   -1.109037917
X2  -3.984400433  2.7300902   -1.459439139
X3  -30.557774712  2.8093612  -10.877125620
閉塞効果
値     標準誤差     t値
X1  -1.34258739  2.4706214  -0.54342093
X2   3.70308746  2.2952773  1.61335081
X3  -7.91842555  2.3619231  -3.35253321
【００３９】
表4  4００Hzでの結果
400 Hz
挿入効果
値     標準誤差      t値
X1  -3.18071721  2.9913629  -1.06330036
X2  -3.71440204  2.7790608  -1.33656738
X3  -31.13784296  2.8597538 -10.88829507
閉塞効果
値      標準誤差    t値
X1  -0.97685416  2.5694950  -0.3801736
X2   4.68242198  2.3871337  1.9615248
X3  -7.36959617  2.4564466  -3.00010500 Hz
【００４０】
表5  5００Hzでの結果
500Hz
挿入効果
値     標準誤差      t値
X1  -3.06639030   3.0294176  -1.01220456
X2  -3.35011711   2.8144148  -1.19034237
X3  -31.31511356  2.8961342  -10.81272859
閉塞効果
値       標準誤差     t値
X1  -0.42304814  2.5993905  -0.16274897
X2  6.57442272   2.4149074  2.72243260
X3  -7.76226106  2.4850268  -3.12361260
【００４１】
表6  6００Hzでの結果
600 Hz
挿入効果
値      標準誤差       t値
X1  -2.8099533318  3.1302318   -0.897682188
X2  -2.9480594700  2.9080740   -1.013749811
X3  -31.7421838724  2.9925130  -10.607200022
閉塞効果
値     標準誤差     t値
X1  1.04164510  2.4705285   0.4216284
X2  9.21450274  2.2951910   4.0146998
X3  -7.89446530  2.3618343  -3.3425145
【００４２】
表７  ７００Hzでの結果
700 Hz
挿入効果
値       標準誤差      t値
X1  -2.588272854   3.2245678  -0.80267279
X2  -2.847366146   2.9957148  -0.95047970
X3  -32.604172820  3.0826986  -10.57650368
閉塞効果
値      標準誤差     t値
X1   1.889389684  2.2700032  0.83232909
X2  11.110529893  2.1088973  5.26840739
X3  -8.402816196  2.1701313  -3.87203123
【００４３】
表８  ８００Hzでの結果
800 Hz
挿入効果
値     標準誤差       t値
X1  -2.515782392  3.3207934   -0.757584738
X2  -3.398601005  3.0851111   -1.101613808
X3  -33.491112358  3.1746906  -10.549409992
閉塞効果
値     標準誤差    t値
X1   1.82698457  2.2246681  0.8212392
X2  11.63631424  2.0667796  5.6301669
X3  -8.77668112  2.1267908  -4.1267252
【００４４】
表９  ９００Hzでの結果
900 Hz
挿入効果
値     標準誤差      t値
X1  -2.38554234  3.3949516  -0.70267345
X2  -4.09229805  3.1540062  -1.29749208
X3 -34.11309345  3.2455861  -10.51061120
閉塞効果
値      標準誤差     t値
X1   1.92054270  2.1612333  0.88863274
X2  10.62901086  2.0078470  5.29373549
X3  -8.81972030  2.0661469  -4.26868009
【００４５】
表１０  １０００Hzでの結果
1000 Hz
挿入効果
値     標準誤差       t値
X1  -2.275590447  3.3148820  -0.686477055
X2  -4.883197416  3.0796193  -1.585649707
X3 -34.827767987  3.1690393  -10.990008326
閉塞効果
値      標準誤差     t値
X1  1.90850033  2.0273877   0.94135935
X2  8.71736528  1.8835006   4.62827855
X3 -9.08163181  1.9381900   -4.68562518
【００４６】
表１１  １１００Hzでの結果
1100 Hz
挿入効果
値     標準誤差      t値
X1  -2.156384500  3.2283746  -0.66794743
X2  -6.075641257  2.9992514  -2.02571923
X3 -34.777147774  3.0863378  -11.26809495
閉塞効果
値     標準誤差     t値
X1  0.652209894  1.9516141  0.33418998
X2  6.892687975  1.8131048  3.80159378
X3 -9.956084782  1.8657502  -5.33623669
【００４７】
表１２  １２００Hzでの結果
1200 Hz
挿入効果
値     標準誤差       t値
X1  -1.585101698  3.1910179  -0.496738573
X2  -6.880732089  2.9645460  -2.321006989
X3 -34.561124381  3.0506248  -11.329195525
閉塞効果
値      標準誤差      t値
X1   0.1712529167  1.9293266  0.088763052
X2   6.3227648043  1.7923991  3.527543026
X3 -10.3896722765  1.8444433  -5.632958487
【００４８】
表１３  １３００Hzでの結果
1300 Hz
挿入効果
値      標準誤差       t値
X1  -1.1981154661  3.1078549  -0.385512034
X2  -7.5105809960  2.8872852  -2.601260486
X3 -35.3762012491  2.9711206  -11.906686397
閉塞効果
値     標準誤差      t値
X1   1.2358134856  1.8298857   0.675350090
X2   5.3236175161  1.7000157   3.131510866
X3 -11.0905638474  1.7493774   -6.339720527
【００４９】
表１４  １４００Hzでの結果
1400 Hz
挿入効果
値     標準誤差      t値
X1  -1.643093468  3.2026055  -0.51304897
X2  -9.006829511  2.9753112  -3.02718902
X3 -36.606739445  3.0617025  -11.95633446
閉塞効果
値     標準誤差     t値
X1   1.218719994  1.7929210  0.67973995
X2   3.569212245  1.6656744  2.14280315
X3 -13.277066609  1.7140390  -7.74607050
【００５０】
表１５  １５００Hzでの結果
1500 Hz
挿入効果
値     標準誤差       t値
X1  -2.004330563  3.3559284  -0.597250692
X2 -10.520911903  3.1177525  -3.374517947
X3 -37.149067713  3.2082798  -11.579123521
閉塞効果
値      標準誤差     t値
X1   1.565644363  1.9150221   0.81755941
X2   3.037305910  1.7791098   1.70720543
X3 -14.661208291  1.8307681   -8.00822785
【００５１】
表１６  １２００Hzでの結果
1600 Hz
挿入効果
値     標準誤差      t値
X1  -1.951098286  3.2915707   -0.59275600
X2 -11.474827775  3.0579624   -3.75244240
X3 -37.443659502  3.1467536  -11.89913947
閉塞効果
値     標準誤差     t値
X1    2.19998543  2.0883350  1.05346387
X2    2.69222085  1.9401223  1.38765520
X3  -15.01898313  1.9964558  -7.52282265
【００５２】
表１７  １７００Hzでの結果
1700 Hz
挿入効果
値     標準誤差      t値
X1  -2.09200068  3.1519854  -0.66370887
X2 -12.37275620  2.9282837  -4.22525864
X3 -37.59666754  3.0133095  -12.47686870
閉塞効果
値    標準誤差     t値
X1   2.296444502  2.1572750  1.06451169
X2   2.044449766  2.0041696  1.02009817
X3 -15.035410954  2.0623628  -7.29038120
【００５３】
表１８  １８００Hzでの結果
1800 Hz
挿入効果
値    標準誤差       t値
X1  -2.7841781655  3.0546323  -0.911460998
X2 -13.4911317442  2.8378399  -4.754014423
X3 -37.7204275127  2.9202396  -12.916894941
閉塞効果
値     標準誤差     t値
X1   1.299973079  2.2825012  0.56953884
X2   0.228669495  2.1205082  0.10783712
X3 -16.763530564  2.1820794  -7.68236495
【００５４】
表１９  １９００Hzでの結果
1900 Hz
挿入効果
値   標準誤差      t値
X1  -3.92267763  2.9833070  -1.31487560
X2 -14.86697694  2.7715767  -5.36408636
X3 -38.18257655  2.8520524  -13.38775431
閉塞効果
値     標準誤差     t値
X1  -0.445001551  2.4921416  -0.17856191
X2  -2.149696858  2.3152701  -0.92848642
X3 -18.984168789  2.3824964  -7.96818358
【００５５】
表２０  ２０００Hzでの結果
2000 Hz
挿入効果
値    標準誤差       t値
X1  -5.07137477  2.8884821  -1.755723078
X2 -16.19593588  2.6834817  -6.035418726
X3 -38.47923896  2.7613994  -13.934687726
閉塞効果
値     標準誤差     t値
X1  -1.85628537  2.4314096  -0.76346057
X2  -4.57822019  2.2588484  -2.02679391
X3 -20.60848494  2.3244365  -8.86601350
【００５６】
表２１  ２１００Hzでの結果
2100 Hz
挿入効果
値    標準誤差      t値
X1  -6.05449479  2.8084770  -2.15579289
X2 -17.24123089  2.6091547  -6.60797572
X3 -38.52172601  2.6849143 -14.34746975
閉塞効果
値    標準誤差    t値
X1  -2.98680095  2.4258921  -1.2312176
X2  -6.98416480  2.2537225  -3.0989462
X3 -22.09045009  2.3191617  -9.5251876
【００５７】
表２２  ２２００Hzでの結果
2200 Hz
挿入効果
値     標準誤差      t値
X1  -6.880641275  2.7399735  -2.51120723
X2 -18.094100656  2.5455130  -7.10823348
X3 -38.294583408  2.6194246  -14.61946370
閉塞効果
値     標準誤差      t値
X1  -4.04732286  2.3505212  -1.72188312
X2  -9.35005881  2.1837008  -4.28174902
X3 -23.23487105  2.2471069  -10.33990481
【００５８】
表２３  ２３００Hzでの結果
2300 Hz
挿入効果
値   標準誤差      t値
X1  -7.702143365  2.7076991  -2.84453441
X2 -18.774332728  2.5155292  -7.46337303
X3 -38.024411656  2.5885702  -14.68934905
閉塞効果
値    標準誤差      t値
X1  -5.220130253  2.2482925  -2.32181990
X2 -11.708355563  2.0887274  -5.60549718
X3 -24.646487441  2.1493758  -11.46681163
【００５９】
表２４  ２４００Hzでの結果
2400 Hz
挿入効果
値   標準誤差      t値
X1  -8.486673413  2.6869395   -3.15849066
X2 -19.349755107  2.4962429   -7.75155131
X3 -37.572817183  2.5687240  -14.62703571
閉塞効果
値     標準誤差       t値
X1  -6.906049894  2.1583519   -3.199686766
X2 -14.081049900  2.0051700   -7.022372074
X3 -26.086046643  2.0633922  -12.642311144
【００６０】
表２５  ２５００Hzでの結果
2500 Hz
挿入効果
値     標準誤差       t値
X1  -9.210748358  2.6528782  -3.471983194
X2 -19.817120519  2.4645989  -8.040708038
X3 -36.833570981  2.5361612  -14.523355801
閉塞効果
値     標準誤差       t値
X1  -7.8887912841  2.1296325  -3.704296963
X2 -15.5096824184  1.9784889  -7.839155515
X3 -26.7269510910  2.0359364  -13.127596011
【００６１】
表２６  ２６００Hzでの結果
2600 Hz
挿入効果
値     標準誤差      t値
X1  -9.66555736  2.6025828   -3.71383279
X2 -20.13716999  2.4178731   -8.32846424
X3 -35.82550481  2.4880786  -14.39886359
閉塞効果
値    標準誤差        t値
X1 -8.039373e+000  2.0445271   -3.9321428795
X2 -1.552271e+001  1.8994236   -8.1723244632
X3 -2.594425e+001  1.9545753  -13.2736008791
【００６２】
表２７  ２７００Hzでの結果
2700 Hz
挿入効果
値     標準誤差       t値
X1  -9.8422402627  2.4996242   -3.937488045
X2 -20.2943035971  2.3222216   -8.739175965
X3 -34.4411171164  2.3896498  -14.412621118
閉塞効果
値     標準誤差       t値
X1  -7.613859887  1.9209320   -3.963627961
X2 -14.957610998  1.7846003   -8.381490995
X3 -24.625003741  1.8364180  -13.409258493
【００６３】
表２８  ２８００Hzでの結果
2800 Hz
挿入効果
値     標準誤差     t値
X1  -9.86365196  2.3996114   -4.1105206
X2 -20.27641387  2.2293069   -9.0953891
X3 -33.03347336  2.2940372  -14.3997113
閉塞効果
値    標準誤差     t値
X1  -7.50588772  1.8590431  -4.0375006
X2 -14.65670749  1.7271037   -8.4862926
X3 -23.70698104  1.7772520  -13.3391220
【００６４】
表２９  ２９００Hzでの結果
2900 Hz
挿入効果
値    標準誤差      t値
X1  -9.86079168  2.2699771   -4.34400497
X2 -20.15133560  2.1088730   -9.55549987
X3 -31.52307174  2.1701063  -14.52604933
閉塞効果
値     標準誤差      t値
X1  -7.543366871  1.8062716   -4.17620855
X2 -14.359771755  1.6780775   -8.55727583
X3 -23.256473650  1.7268022  -13.46794292
【００６５】
表３０  ３０００Hzでの結果
3000 Hz
挿入効果
値   標準誤差       t値
X1  -9.7856477447  2.1508276   -4.549712685
X2 -20.0236465366  1.9981798  -10.020943400
X3 -30.2576796218  2.0561990  -14.715345668
閉塞効果
値    標準誤差      t値
X1  -7.47719814  1.74153648   -4.29344904
X2 -14.06177565  1.61793672   -8.69117777
X3 -22.09160667  1.66491522  -13.26890791
【００６６】
表３１  ３１００Hzでの結果
3100 Hz
挿入効果
値    標準誤差       t値
X1  -9.664299909  2.0441730  -4.727730813
X2 -19.902779737  1.8990947  -10.480140962
X3 -28.927085690  1.9542369  -14.802241273
閉塞効果
値     標準誤差       t値
X1  -7.058142664  1.68138544   -4.197813587
X2 -13.560497213  1.56205470   -8.681192285
X3 -20.712909615  1.60741060  -12.885885895
【００６７】
表３２  ３２００Hzでの結果
3200 Hz
挿入効果
値     標準誤差      t値
X1  -9.510894160  1.9521516  -4.87200583
X2 -19.806347612  1.8136042  -10.92098708
X3 -27.726410309  1.8662641  -14.85663835
閉塞効果
値   標準誤差       t値
X1  -7.163145949  1.64523049   -4.353885967
X2 -13.488540806  1.52846573   -8.824889289
X3 -19.070659369  1.57284634  -12.124934858
【００６８】
表３３  ３３００Hzでの結果
3300 Hz
挿入効果
値     標準誤差       t値
X1  -9.2786068378  1.8838049  -4.925460512
X2 -19.6593344393  1.7501081  -11.233211221
X3 -26.5719530600  1.8009244  -14.754619026
閉塞効果
値      標準誤差      t値
X1  -7.31237040  1.66005982  -4.40488366
X2 -13.45522787  1.54224259  -8.72445614
X3 -17.74897246  1.58702323  -11.18381389
【００６９】
表３４  ３４００Hzでの結果
3400 Hz
挿入効果
値    標準誤差      t値
X1  -9.066209111  1.8323300  -4.94791271
X2 -19.556815995  1.7022865  -11.48855723
X3 -25.574072634  1.7517142  -14.59945508
閉塞効果
値   標準誤差      t値
X1  -7.23388315  1.70948608  -4.2316128
X2 -13.07226920  1.58816098  -8.2310731
X3 -16.72753874  1.63427491  -10.2354498
【００７０】
表３５  ３５００Hzでの結果
3500 Hz
挿入効果
値     標準誤差      t値
X1  -8.91013789  1.7886133  -4.98158981
X2 -19.45460034  1.6616724  -11.70784323
X3 -24.81692370  1.7099208  -14.51349273
閉塞効果
値   標準誤差      t値
X1  -7.3687376481  1.76527541  -4.174270831
X2 -12.8957066864  1.63999085  -7.863279640
X3 -15.7692838620  1.68760971  -9.344153291
【００７１】
表３６  ３６００Hzでの結果
3600 Hz
挿入効果
値   標準誤差      t値
X1  -8.691367288  1.7763295  -4.89288013
X2 -19.342423503  1.6502604  -11.72083106
X3 -24.157524195  1.6981775  -14.22555931
閉塞効果
値     標準誤差     t値
X1  -6.962227987  1.76558948  -3.94328809
X2 -12.008873432  1.64028264  -7.32122206
X3 -14.662004950  1.68790997  -8.68648519
【００７２】
表３７  ３７００Hzでの結果
3700 Hz
挿入効果
値     標準誤差      t値
X1  -8.583079332  1.76270385  -4.86926908
X2 -19.313847560  1.63760180  -11.79398287
X3 -23.737175524  1.68515129  -14.08607978
閉塞効果
値    標準誤差      t値
X1  -6.5337475500  1.74265157  -3.749313783
X2 -11.3626632173  1.61897267  -7.018440431
X3 -13.5120469265  1.66598124  -8.110563666
【００７３】
表３８  ３８００Hzでの結果
3800 Hz
挿入効果
値     標準誤差      t値
X1  -8.441467426  1.75635543  -4.80624097
X2 -19.336107428  1.63170394  -11.85025478
X3 -23.463879959  1.67908218  -13.97422961
閉塞効果
値     標準誤差     t値
X1  -6.278133968  1.68496687  -3.72596880
X2 -10.754862789  1.56538194  -6.87044005
X3 -12.412324737  1.61083445  -7.70552474
【００７４】
表３９  ３９００Hzでの結果
3900 Hz
挿入効果
値      標準誤差      t値
X1  -8.270799727  1.76899901   -4.67541231
X2 -19.372231987  1.64345018  -11.78753833
X3 -23.226956475  1.69116949  -13.73425708
閉塞効果
値     標準誤差     t値
X1  -6.04925683  1.66204356  -3.6396500
X2  -9.99092084  1.54408554  -6.4704452
X3 -11.55100361  1.58891969  -7.2697215
【００７５】
表４０  ４０００Hzでの結果
4000 Hz
挿入効果
値      標準誤差      t値
X1  -8.086843450  1.72954953  -4.67569348
X2 -19.275861670  1.60680050  -11.99642501
X3 -23.027648032  1.65345564  -13.92698265
閉塞効果
値      標準誤差     t値
X1  -5.468606286  1.53347467  -3.56615364
X2  -9.213260489  1.42464140  -6.46707337
X3 -10.842963904  1.46600737  -7.39625472
【００７６】
表４１  ４１００Hzでの結果
4100 Hz
挿入効果
値     標準誤差      t値
X1  -7.881860321  1.70361988  -4.62653695
X2 -19.265070702  1.58271112  -12.17219647
X3 -22.687028158  1.62866680  -13.92981556
閉塞効果
値      標準誤差      t値
X1  -5.234017037  1.44847923  -3.613456733
X2  -8.367227067  1.34567823  -6.217851237
X3 -10.113523797  1.38475142  -7.303494094
【００７７】
表４２  ４２００Hzでの結果
4200 Hz
挿入効果
値     標準誤差      t値
X1  -7.650776971  1.67932983  -4.55585129
X2 -19.207194367  1.56014498  -12.31115996
X3 -22.260182017  1.60544543  -13.86542428
閉塞効果
値     標準誤差      t値
X1 -5.1074935588  1.37868912  -3.704601341
X2 -7.5586894898  1.28084124  -5.901347685
X3 -9.5194610061  1.31803181  -7.222481964
【００７８】
表４３  ４３００Hzでの結果
4300 Hz
挿入効果
値     標準誤差      t値
X1  -7.390373789  1.65707945  -4.45987897
X2 -19.182103586  1.53947374  -12.46016937
X3 -21.767082631  1.58417398  -13.74033587
閉塞効果
値     標準誤差      t値
X1 -4.8960648158  1.30757620  -3.744382017
X2 -6.7790754700  1.21477533  -5.580517913
X3 -8.7460200811  1.25004761  -6.996549598
【００７９】
表４４  ４４００Hzでの結果
4400 Hz
挿入効果
値    標準誤差      t値
X1  -7.146230694  1.63780680  -4.36329284
X2 -19.243600045  1.52156891  -12.64720903
X3 -21.178776976  1.56574926  -13.52628895
閉塞効果
値     標準誤差     t値
X1 -4.87065603  1.25303258  -3.88709449
X2 -6.06657954  1.16410275  -5.21137805
X3 -8.16174608  1.19790370  -6.81335742
【００８０】
表４５  ４５００Hzでの結果
4500 Hz
挿入効果
値     標準誤差      t値
X1  -6.847453349  1.63031020  -4.20009231
X2 -19.340813305  1.51460436  -12.76954819
X3 -20.581624580  1.55858249  -13.20534829
閉塞効果
値     標準誤差     t値
X1 -4.952060307  1.20193410  -4.12007640
X2 -5.516111259  1.11663082  -4.93995971
X3 -7.888428986  1.14905337  -6.86515456
【００８１】
表４６  ４６００Hzでの結果
4600 Hz
挿入効果
値     標準誤差      t値
X1  -6.536781665  1.63166742  -4.00619732
X2 -19.370563786  1.51586525  -12.77855257
X3 -19.946411210  1.55987999  -12.78714471
閉塞効果
値     標準誤差     t値
X1 -4.583931130  1.20319291  -3.80980565
X2 -4.866591929  1.11780029  -4.35372220
X3 -7.363325177  1.15025680  -6.40146201
【００８２】
表４７  ４７００Hzでの結果
4700 Hz
挿入効果
値     標準誤差      t値
X1  -6.247439739  1.64057349  -3.80808282
X2 -19.485709545  1.52413924  -12.78473056
X3 -19.320813101  1.56839423  -12.31884990
閉塞効果
値      標準誤差     t値
X1 -4.277111412  1.20635740  -3.54547616
X2 -4.319781388  1.12074019  -3.85440034
X3 -6.818258071  1.15328207  -5.91204726
【００８３】
表４８  ４８００Hzでの結果
4800 Hz
挿入効果
値    標準誤差       t値
X1  -5.9496237669  1.65009622  -3.605622326
X2 -19.3341460166  1.53298612  -12.612081555
X3 -18.6504311493  1.57749799  -11.822792342
閉塞効果
値     標準誤差     t値
X1 -3.63533451  1.19702245  -3.03698108
X2 -3.68529686  1.11206776  -3.31391396
X3 -6.10429061  1.14435781  -5.33424995
【００８４】
表４９  ４９００Hzでの結果
4900 Hz
挿入効果
値    標準誤差      t値
X1  -5.69900795  1.67201132  -3.40847449
X2 -19.09922740  1.55334588  -12.29554066
X3 -18.04055946  1.59844891  -11.28629094
閉塞効果
値     標準誤差     t値
X1 -3.007209843  1.15216066  -2.61006121
X2 -3.037454396  1.07038989  -2.83770842
X3 -5.416608544  1.10146978  -4.91761883
【００８５】
表５０  ５０００Hzでの結果
5000 Hz
挿入効果
値     標準誤差      t値
X1  -5.42096921  1.69550964  -3.19725060
X2 -18.70751384  1.57517648  -11.87645583
X3 -17.36767314  1.62091338  -10.71474474
閉塞効果
値   標準誤差      t値
X1 -2.649642968  1.11875070  -2.36839447
X2 -2.583699149  1.03935109  -2.48587718
X3 -4.726811994  1.06952974  -4.41952366
【００８６】
表５１  ５１００Hzでの結果
5100 Hz
挿入効果
値     標準誤差      t値
X1  -5.12838471  1.72005712  -2.98152000
X2 -18.18322864  1.59798178  -11.37887104
X3 -16.68033428  1.64438087  -10.14383871
閉塞効果
値    標準誤差     t値
X1 -2.350640296  1.06203444  -2.21333717
X2 -2.222199512  0.98666007  -2.25224428
X3 -4.297318170  1.01530879  -4.23252337
【００８７】
表５２  ５２００Hzでの結果
5200 Hz
挿入効果
値      標準誤差      t値
X1  -4.846893396  1.73104035  -2.79998868
X2 -17.483734536  1.60818552  -10.87171496
X3 -15.991399029  1.65488088  -9.66317230
閉塞効果
値     標準誤差     t値
X1 -1.863905114  1.02038103  -1.82667559
X2 -1.588450835  0.94796287  -1.67564667
X3 -3.737920520  0.97548797  -3.83184685
【００８８】
表５３  ５３００Hzでの結果
5300 Hz
挿入効果
値    標準誤差      t値
X1  -4.635811384  1.74762530  -2.65263463
X2 -16.806580187  1.62359340  -10.35147110
X3 -15.434734844  1.67073615  -9.23828390
閉塞効果
値      標準誤差    t値
X1 -1.55178690  0.94658159  -1.6393588
X2 -1.11156094  0.87940111  -1.2639977
X3 -3.32312975  0.90493544  -3.6722285
【００８９】
表５４  ５４００Hzでの結果
5400 Hz
挿入効果
値      標準誤差      t値
X1  -4.296048437  1.76786473  -2.430077577
X2 -16.007405575  1.64239640  -9.746371538
X3 -14.827069029  1.69008511  -8.772971794
閉塞効果
値     標準誤差     t値
X1 -1.357632686  0.92688227  -1.46473044
X2 -1.085022430  0.86109989  -1.26004247
X3 -3.141020167  0.88610283  -3.54475809
【００９０】
表５５  ５５００Hzでの結果
5500 Hz
挿入効果
値     標準誤差      t値
X1  -4.040537444  1.7891974  -2.258296111
X2 -15.177478550  1.6622150  -9.130875559
X3 -14.401720605  1.7104792  -8.419699405
閉塞効果
値    標準誤差     t値
X1 -1.172678260  0.90954444  -1.28930287
X2 -1.124977061  0.84499255  -1.33134554
X3 -3.053792404  0.86952779  -3.51201241
【００９１】
表５６  ５６００Hzでの結果
5600 Hz
挿入効果
値     標準誤差     t値
X1  -3.842925160  1.8254446  -2.10519960
X2 -14.418027712  1.6958897  -8.50174849
X3 -14.202779253  1.7451316  -8.13851454
閉塞効果
値      標準誤差     t値
X1 -0.949080983  0.92183414  -1.02955721
X2 -0.951847054  0.85641002  -1.11143848
X3 -2.755459070  0.88127679  -3.12666701
【００９２】
表５７  ５７００Hzでの結果
5700 Hz
挿入効果
値     標準誤差     t値
X1  -3.696893582  1.8553649  -1.99254262
X2 -13.570943809  1.7236865  -7.87320879
X3 -14.186977436  1.7737356  -7.99836104
閉塞効果
値     標準誤差     t値
X1 -0.981408120  0.94246447  -1.04132108
X2 -1.137744866  0.87557619  -1.29942417
X3 -2.818453141  0.90099947  -3.12814075
【００９３】
表５８  ５８００Hzでの結果
5800 Hz
挿入効果
値      標準誤差     t値
X1  -3.485335327  1.9118784   -1.82299003
X2 -12.900093591  1.7761892   -7.26279241
X3 -14.302358724  1.8277627   -7.82506305
閉塞効果
値      標準誤差    t値
X1 -1.43215721  0.99833534  -1.4345452
X2 -1.30174219  0.92748180  -1.4035232
X3 -3.03832890  0.95441221  -3.1834556
【００９４】
表５９  ５９００Hzでの結果
5900 Hz
挿入効果
値    標準誤差     t値
X1  -3.470882999  1.9551480  -1.77525331
X2 -12.237829059  1.8163879  -6.73745358
X3 -14.656469432  1.8691286  -7.84133809
閉塞効果
値    標準誤差     t値
X1 -1.570601603  1.01546928  -1.54667564
X2 -1.143278073  0.94339973  -1.21187026
X3 -3.089089793  0.97079233  -3.18202946
【００９５】
表６０  ６０００Hzでの結果
6000 Hz
挿入効果
値     標準誤差     t値
X1  -3.505504506  1.9935030  -1.75846459
X2 -11.643669192  1.8520208  -6.28700782
X3 -15.008307749  1.9057962  -7.87508551
閉塞効果
値     標準誤差     t値
X1 -1.4782767934  1.03060693  -1.43437498
X2 -0.9518932129  0.95746303  -0.99418273
X3 -2.8687898427  0.98526398  -2.91169667
【００９６】
表６１  ６１００Hzでの結果
6100 Hz
挿入効果
値    標準誤差     t値
X1  -3.527926580  2.0085812  -1.75642715
X2 -11.026150510  1.8660288  -5.90888537
X3 -15.238089915  1.9202110  -7.93563327
閉塞効果
値     標準誤差     t値
X1 -1.581128817  1.06615246  -1.48302319
X2 -0.690258914  0.99048583  -0.69688924
X3 -2.842076531  1.01924563  -2.78841179
【００９７】
表６２  ６２００Hzでの結果
6200 Hz
挿入効果
値     標準誤差      t値
X1  -3.541042894  2.0249469  -1.748709011
X2 -10.499983894  1.8812330  -5.581437152
X3 -15.602866439  1.9358566  -8.059928816
閉塞効果
値     標準誤差     t値
X1 -1.560048975  1.10174868  -1.41597535
X2 -0.553851718  1.02355573  -0.54110558
X3 -2.615469069  1.05327575  -2.48317600
【００９８】
表６３  ６３００Hzでの結果
6300 Hz
挿入効果
値     標準誤差     t値
X1  -3.64729645  2.0274164  -1.79898731
X2  -9.92894474  1.8835273  -5.27146316
X3 -15.85389666  1.9382175  -8.17962727
閉塞効果
値     標準誤差     t値
X1 -1.38042349  1.09173705  -1.26442854
X2 -0.37261352  1.01425464  -0.36737669
X3 -2.33816761  1.04370459  -2.24025804
【００９９】
表６４  ６４００Hzでの結果
6400 Hz
挿入効果
値     標準誤差     t値
X1  -3.72431243  2.0226028  -1.84134638
X2  -9.47118863  1.8790553  -5.04039902
X3 -16.11724147  1.9336157  -8.33528692
閉塞効果
値      標準誤差     t値
X1 -1.391813985  1.05689378  -1.31689107
X2 -0.267321456  0.98188426  -0.27225353
X3 -2.187831043  1.01039430  -2.16532401
【０１００】
表６５  ６５００Hzでの結果
6500 Hz
挿入効果
値     標準誤差     t値
X1  -3.713274489  2.0281956  -1.83082665
X2  -9.044965698  1.8842511  -4.80029737
X3 -16.426047721  1.9389623  -8.47156616
閉塞効果
値     標準誤差      t値
X1 -1.731417523  1.01416531  -1.707234029
X2 -0.548784418  0.94218829  -0.582457266
X3 -2.528227998  0.96954572  -2.607641843
【０１０１】
表６６  ６６００Hzでの結果
6600 Hz
挿入効果
値    標準誤差     t値
X1  -3.766690641  2.0267967  -1.85844519
X2  -8.678056381  1.8829516  -4.60875176
X3 -16.764044366  1.9376251  -8.65185156
閉塞効果
値     標準誤差    t値
X1 -1.98956391  0.95040501  -2.09338533
X2 -1.10722139  0.88295317  -1.25399786
X3 -2.75192688  0.90859065  -3.02878627
【０１０２】
表６７  ６７００Hzでの結果
6700 Hz
挿入効果
値    標準誤差     t値
X1  -4.014308937  2.0434736  -1.96445358
X2  -8.397504120  1.8984448  -4.42335962
X3 -17.021841498  1.9535682  -8.71320587
閉塞効果
値      標準誤差    t値
X1 -2.407488315  0.94010973  -2.5608588
X2 -1.341366154  0.87338857  -1.5358183
X3 -2.928638691  0.89874832  -3.2585749
【０１０３】
表６８  ６８００Hzでの結果
6800 Hz
挿入効果
値     標準誤差     t値
X1  -4.354917941  2.0694860  -2.10434760
X2  -8.141998692  1.9226111  -4.23486507
X3 -17.378004698  1.9784362  -8.78370757
閉塞効果
値    標準誤差    t値
X1 -2.500115515  0.98440958  -2.5397107
X2 -1.447595547  0.91454438  -1.5828598
X3 -2.996861320  0.94109914  -3.1844268
【０１０４】
表６９  ６９００Hzでの結果
6900 Hz
挿入効果
値     標準誤差     t値
X1  -4.748185680  2.1060634  -2.25453122
X2  -7.861928357  1.9565925  -4.01817352
X3 -17.572263041  2.0134043  -8.72763772
閉塞効果
値    標準誤差    t値
X1 -2.943078973  1.02579595  -2.8690686
X2 -1.751442140  0.95299349  -1.8378322
X3 -3.203777402  0.98066466  -3.2669449
【０１０５】
表７０  ７０００Hzでの結果
7000 Hz
挿入効果
値      標準誤差     t値
X1  -5.36964885  2.1060878  -2.54958453
X2  -7.62145160  1.9566152  -3.89522250
X3 -17.63774396  2.0134276  - 8.76005873
閉塞効果
値     標準誤差      t値
X1 -3.0958671835  1.09618801  -2.824211866
X2 -1.6347488389  1.01838971  -1.605229143
X3 -3.0436625264  1.04795973  -2.904369750
【０１０６】
表７１  ７１００Hzでの結果
7100 Hz
挿入効果
値     標準誤差     t値
X1  -5.979052985  2.1484033  -2.78302176
X2  -7.409193538  1.9959275  -3.71215570
X3 -17.930145965  2.0538813  -8.72988412
閉塞効果
値     標準誤差     t値
X1 -2.93400085  1.12940070  -2.59783871
X2 -1.35279652  1.04924523  -1.28930442
X3 -2.84600351  1.07971117  -2.63589335
【０１０７】
表７２  ７２００Hzでの結果
7200 Hz
挿入効果
値     標準誤差    t値
X1  -6.53523989  2.1790642  -2.9991039
X2  -7.29180932  2.0244124  -3.6019388
X3 -18.20102578  2.0831933  -8.7370797
閉塞効果
値     標準誤差     t値
X1 -2.854334671  1.13785077  -2.50853165
X2 -1.261150721  1.05709559  -1.19303375
X3 -2.983604193  1.08778948  -2.74281399
【０１０８】
表７３  ７３００Hzでの結果
7300 Hz
挿入効果
値     標準誤差     t値
X1  -6.75636148  2.2050562  -3.06403143
X2  -7.08463282  2.0485597  -3.45834830
X3 -18.28648048  2.1080417  -8.67462921
閉塞効果
値    標準誤差     t値
X1 -2.82929369  1.10910247  -2.55097593
X2 -1.27314769  1.03038760  -1.23560075
X3 -3.10192981  1.06030599  -2.92550437
【０１０９】
表７４  ７４００Hzでの結果
7400 Hz
挿入効果
値    標準誤差     t値
X1  -6.83076637  2.2407210  -3.04846800
X2  -6.91081533  2.0816933  -3.31980476
X3 -18.37488422  2.1421375  -8.57782685
閉塞効果
値    標準誤差     t値
X1 -2.49001160  1.07112286  -2.3246741
X2 -1.25209393  0.99510347  -1.2582550
X3 -2.88266037  1.02399735  -2.8151053
【０１１０】
表７５  ７５００Hzでの結果
7500 Hz
挿入効果
値     標準誤差     t値
X1  -6.665475332  2.2928263  -2.90709996
X2  -6.678922730  2.1301006  -3.13549639
X3 -18.482033551  2.1919503  -8.43177578
閉塞効果
値     標準誤差    t値
X1 -2.14003047  1.05586865  -2.0267961
X2 -1.06587090  0.98093188  -1.0865901
X3 -2.78648541  1.00941427  -2.7604973
【０１１１】
表７６  ７６００Hzでの結果
7600 Hz
挿入効果
値    標準誤差      t値
X1  -6.453321221  2.3169883  -2.785219570
X2  -6.517903336  2.1525478  -3.027994735
X3 -18.428207086  2.2150493  -8.319547271
閉塞効果
値     標準誤差    t値
X1 -1.81049894  1.05228996  -1.7205324
X2 -0.71468545  0.97760718  -0.7310558
X3 -2.58402589  1.00599303  -2.5686320
【０１１２】
表７７  ７７００Hzでの結果
7700 Hz
挿入効果
値     標準誤差     t値
X1  -6.176510870  2.3478779  -2.63067809
X2  -6.290253935  2.1812450  -2.88379060
X3 -18.283821601  2.2445798  -8.14576596
閉塞効果
値    標準誤差    t値
X1 -1.48510082  1.07347198  -1.3834556
X2 -0.55147183  0.99728587  -0.5529727
X3 -2.27496805  1.02624312  -2.2167925
【０１１３】
表７８  ７８００Hzでの結果
7800 Hz
挿入効果
値     標準誤差     t値
X1  -6.06108309  2.3716242  -2.55566757
X2  -6.19084626  2.2033061  -2.80979857
X3 -18.21570774  2.2672814  -8.03416280
閉塞効果
値     標準誤差     t値
X1 -1.413226227  1.09382747  -1.29200104
X2 -0.491633275  1.01619670  -0.48379736
X3 -2.147169312  1.04570304  -2.05332607
【０１１４】
表７９  ７９００Hzでの結果
7900 Hz
挿入効果
値     標準誤差     t値
X1  -6.01019067  2.3741523  -2.53151017
X2  -6.17081726  2.2056547  -2.79772587
X3 -18.20382232  2.2696982  -8.02037121
閉塞効果
値     標準誤差     t値
X1 -1.116427464  1.12532100  -0.99209689
X2 -0.075233199  1.04545509  -0.07196215
X3 -2.042620033  1.07581097  -1.89867931
【０１１５】
表８０  ８０００Hzでの結果
8000 Hz
挿入効果
値     標準誤差      t値
X1  -5.994943790  2.3595836  -2.540678681
X2  -6.231208076  2.1921200  -2.842548786
X3 -18.251784219  2.2557705  -8.091152906
閉塞効果
値     標準誤差     t値
X1 -0.919289912  1.11313021  -0.82586018
X2  0.150751742  1.03412949  0.14577647
X3 -1.869693540  1.06415653  -1.75697229
以上、好ましい態様を示し説明してきたが、この発明の精神および範囲から逸脱することなく、これらに対する各種の改良、置き換えをすることができる。従って、この発明は、説明のために記述されたものであり、それに限定されるものではない。
【図面の簡単な説明】
【０１１６】
例示的な図面を示す。類似の構成要素には同一番号を付している。
【図１】図１は、補聴システムための、レシーバ、中間連結部、および音声処理部品（ユニット）コネクタを例示的に示す概略図である。
【図２】図２は、レシーバおよび中間連結部の断面図である。
【図３】図３は、補聴システムための、レシーバ、中間連結部、および音声処理部品（ユニット）コネクタの分解図である。
【図４】図４は、保持ワイヤを含む補聴システムを組み立てた状態を示す図である。
【図５】図５は、補聴システムをユーザの耳に装着した状態の断面図である。
【図６】図６は、音声処理ユニットを例示的に示す図である。
【図７】図７は、他の音声処理ユニットを例示的に示す図である。
【符号の説明】
【０１１７】
１０  補聴システム
１２  レシーバ部（レシーバ部分）
１４  スピーカ
１６  ケーシング
１８  連結部
２０  中間連結部
２２  音声処理部品（ユニット）コネクタ
２４  電気インターフェース
２６  コネクタシェル
２８  ロックピン
３０  電気伝導性部品
３２  補強ワイヤ（保持手段）
３６  近端部（第１端部）
３８  管路
４０、４２  ワイヤ
４４  遠端部（第２端部）
４６  ポート５２  音声処理ユニット
５４  保持ワイヤ（保持手段）
【図１】
0004006470.tif 000006
【図２】
0004006470.tif 000007
【図３】
0004006470.tif 000008
【図４】
0004006470.tif 000009
【図５】
0004006470.tif 000010
【図６】
0004006470.tif 000011
【図７】
0004006470.tif 000012